(57)【要約】【課題】本発明はパッケージ回収装置を提供した。【解決手段】装置本体及び前記装置本体の中に設置されている操作チャンバを含み、前記操作チャンバの中の左側端壁の中には切換チャンバが設置され、前記操作チャンバの中には回転桶が回転できるように設置され、前記回転桶の中には切断チャンバが設置され、前記切断チャンバの端壁には外部に連通している材料落とし穴が設置され、本発明の設備は自動的に材料を送ることができ、また材料を送る過程において、パッケージを粉砕切断し、最後に設備がバルブを制御して閉め、パッケージの砕屑を収集することに便利を与える。【選択図】図１
2020175359.tif 000002
【特許請求の範囲】
【請求項１】
装置本体及び前記装置本体の中に設置されている操作チャンバを含み、前記操作チャンバの中の左側端壁の中には切換チャンバが設置され、前記操作チャンバの中には回転桶が回転できるように設置され、前記回転桶の中には切断チャンバが設置され、前記切断チャンバの端壁には外部に連通している材料落とし穴が設置され、前記回転桶の左側端壁の中には内歯溝が設置され、前記切換チャンバと前記切断チャンバとの間には第一回転軸が回転できるように設置され、前記切換チャンバの中の前記第一回転軸の末端には第一ギヤが固定的に設置され、前記第一ギヤの右側には第一連結ロッドがヒンジにより連結され、前記内歯溝の中の前記第一回転軸の外面には第二ギヤが固定的に設置され、前記操作チャンバの左側端壁には前記第二ギヤ及び前記内歯溝と噛み合っている第三ギヤが回転できるように設置され、前記切断チャンバの中の前記第一回転軸の外面にはカッター刃が固定的に設置され、前記切換チャンバの左側端壁の中にはスライドチャンバが設置され、前記スライドチャンバの中にはスライドブロックがスライドできるように設置され、前記スライドブロックの右側端壁の中には第一モータが固定的に設置され、前記第一モータの出力軸の右へ伸びている末端には第四ギヤが固定的に設置され、前記第四ギヤの左側には第二連結ロッドがヒンジにより連結され、前記第二連結ロッドと前記第一連結ロッドとの間には第二回転軸が回転できるように設置され、前記第二回転軸の外面には前記第四ギヤ及び前記第一ギヤと噛み合っている第五ギヤが固定的に設置され、前記回転桶が前記カッター刃と反対である方向に回転し、それにより前記パッケージを切断することを特徴とするパッケージ回収装置。
【請求項２】
前記操作チャンバの底壁の中には漏斗チャンバが連通するように設置され、前記漏斗チャンバの下方には材料収集チャンバが設置され、前記材料収集チャンバと前記漏斗チャンバとの間には材料収集溝が連通するように設置され、前記材料収集溝の左側端壁の中には右方に開口したガイドスライド溝が設置され、前記ガイドスライド溝の中にはバルブがスライドできるように設置され、前記バルブの中には左方に開口したねじ穴が設置され、前記ねじ穴の中には左へ伸びているねじロッドがねじ山により連結され、前記ねじロッドの左側末端が前記ガイドスライド溝の左側に位置しているカムチャンバの中に伸びており、また前記ねじロッドの左側末端が前記カムチャンバの左側端壁の中に固定的に設置されている第二モータと動力が伝達できるように連結され、前記カムチャンバの中の前記ねじロッドの外面にはカムが固定的に設置され、前記カムチャンバと前記スライドチャンバとの間にはスライド穴が連通するように設置され、前記スライド穴の中には前記スライドブロックと固定的に連結されているスライドロッドがスライドできるように設置され、前記スライドロッドと前記スライド穴の端壁との間には復帰装置が弾性的に設置され、前記ねじロッドが回転し、それにより前記バルブを移動連動させて前記材料収集溝を密封する又は開けることを特徴とする請求項１に記載のパッケージ回収装置。
【請求項３】
前記操作チャンバの右側端壁の中にはフィードチャンバが設置され、前記フィードチャンバと前記切断チャンバとの間には材料入りガイド溝が連通するように設置され、前記フィードチャンバの右側端壁の中には外部に連通している材料入り口が設置され、前記フィードチャンバの後側端壁の中には上へ伸びているベルトチャンバが設置され、前記フィードチャンバの中には上下対称である二つの第三回転軸が回転できるように設置され、前記第三回転軸の外面には丸ダイス及び前記丸ダイスの後側に位置している第六ギヤが固定的に設置され、上下二つの前記第六ギヤが互いに噛み合っており、上端の前記第三回転軸の後側延伸部分が前記ベルトチャンバに伸びており、また上端の前記第三回転軸の末端には第一プーリが固定的に設置され、前記ベルトチャンバの前側端壁の中には前記フィードチャンバの上方に位置している伝動チャンバが設置され、前記伝動チャンバと前記ベルトチャンバとの間には第四回転軸が回転できるように設置され、前記ベルトチャンバの中の前記第四回転軸の末端には第二プーリが固定的に設置され、前記第二プーリと前記第一プーリとの間がベルトにより伝動できるように連結され、前記伝動チャンバの中の前記第四回転軸の末端には第一傘歯車が固定的に設置され、前記伝動チャンバと前記切換チャンバとの間には第五回転軸が回転できるように設置され、前記切換チャンバの中の前記第五回転軸の末端には第七ギヤが固定的に設置され、前記伝動チャンバの中の前記第五回転軸の末端には第一傘歯車と噛み合っている第二傘歯車が固定的に設置され、前記丸ダイスが回転し、この時にパッケージを押しつぶして前記材料入り口の中に詰めることを特徴とする請求項１に記載のパッケージ回収装置。
【発明の詳細な説明】
【技術分野】
【０００１】
本発明はパック回収分野に関わり、具体的にはパッケージ回収装置である。
【背景技術】
【０００２】
ネットショッピングの増加につれて、パッケージの使用はますます頻繁になり、大量のパッケージをリサイクルしないと、多くの樹木が伐採され、それで生態環境が破壊され、従って上記の問題を解決するため、パッケージ回収装置が強く求められている。
【先行技術文献】
【特許文献】
【０００３】
【特許文献１】中国特許出願公開第105905504号明細書
【発明の概要】
【発明が解決しようとする課題】
【０００４】
本発明はパッケージ回収装置を提供し、既存技術にある上記欠点を解消し、設備の実用性を高めることを目的とする。
【課題を解決するための手段】
【０００５】
本発明のパッケージ回収装置は、装置本体及び前記装置本体の中に設置されている操作チャンバを含み、前記操作チャンバの中の左側端壁の中には切換チャンバが設置され、前記操作チャンバの中には回転桶が回転できるように設置され、前記回転桶の中には切断チャンバが設置され、前記切断チャンバの端壁には外部に連通している材料落とし穴が設置され、前記回転桶の左側端壁の中には内歯溝が設置され、前記切換チャンバと前記切断チャンバとの間には第一回転軸が回転できるように設置され、前記切換チャンバの中の前記第一回転軸の末端には第一ギヤが固定的に設置され、前記第一ギヤの右側には第一連結ロッドがヒンジにより連結され、前記内歯溝の中の前記第一回転軸の外面には第二ギヤが固定的に設置され、前記操作チャンバの左側端壁には前記第二ギヤ及び前記内歯溝と噛み合っている第三ギヤが回転できるように設置され、前記切断チャンバの中の前記第一回転軸の外面にはカッター刃が固定的に設置され、前記切換チャンバの左側端壁の中にはスライドチャンバが設置され、前記スライドチャンバの中にはスライドブロックがスライドできるように設置され、前記スライドブロックの右側端壁の中には第一モータが固定的に設置され、前記第一モータの出力軸の右へ伸びている末端には第四ギヤが固定的に設置され、前記第四ギヤの左側には第二連結ロッドがヒンジにより連結され、前記第二連結ロッドと前記第一連結ロッドとの間には第二回転軸が回転できるように設置され、前記第二回転軸の外面には前記第四ギヤ及び前記第一ギヤと噛み合っている第五ギヤが固定的に設置され、前記回転桶が前記カッター刃と反対である方向に回転し、それにより前記パッケージを切断する。
【０００６】
好ましくは、前記操作チャンバの底壁の中には漏斗チャンバが連通するように設置され、前記漏斗チャンバの下方には材料収集チャンバが設置され、前記材料収集チャンバと前記漏斗チャンバとの間には材料収集溝が連通するように設置され、前記材料収集溝の左側端壁の中には右方に開口したガイドスライド溝が設置され、前記ガイドスライド溝の中にはバルブがスライドできるように設置され、前記バルブの中には左方に開口したねじ穴が設置され、前記ねじ穴の中には左へ伸びているねじロッドがねじ山により連結され、前記ねじロッドの左側末端が前記ガイドスライド溝の左側に位置しているカムチャンバの中に伸びており、また前記ねじロッドの左側末端が前記カムチャンバの左側端壁の中に固定的に設置されている第二モータと動力が伝達できるように連結され、前記カムチャンバの中の前記ねじロッドの外面にはカムが固定的に設置され、前記カムチャンバと前記スライドチャンバとの間にはスライド穴が連通するように設置され、前記スライド穴の中には前記スライドブロックと固定的に連結されているスライドロッドがスライドできるように設置され、前記スライドロッドと前記スライド穴の端壁との間には復帰装置が弾性的に設置され、前記ねじロッドが回転し、それにより前記バルブを移動連動させて前記材料収集溝を密封する又は開ける。
【０００７】
好ましくは、前記操作チャンバの右側端壁の中にはフィードチャンバが設置され、前記フィードチャンバと前記切断チャンバとの間には材料入りガイド溝が連通するように設置され、前記フィードチャンバの右側端壁の中には外部に連通している材料入り口が設置され、前記フィードチャンバの後側端壁の中には上へ伸びているベルトチャンバが設置され、前記フィードチャンバの中には上下対称である二つの第三回転軸が回転できるように設置され、前記第三回転軸の外面には丸ダイス及び前記丸ダイスの後側に位置している第六ギヤが固定的に設置され、上下二つの前記第六ギヤが互いに噛み合っており、上端の前記第三回転軸の後側延伸部分が前記ベルトチャンバに伸びており、また上端の前記第三回転軸の末端には第一プーリが固定的に設置され、前記ベルトチャンバの前側端壁の中には前記フィードチャンバの上方に位置している伝動チャンバが設置され、前記伝動チャンバと前記ベルトチャンバとの間には第四回転軸が回転できるように設置され、前記ベルトチャンバの中の前記第四回転軸の末端には第二プーリが固定的に設置され、前記第二プーリと前記第一プーリとの間がベルトにより伝動できるように連結され、前記伝動チャンバの中の前記第四回転軸の末端には第一傘歯車が固定的に設置され、前記伝動チャンバと前記切換チャンバとの間には第五回転軸が回転できるように設置され、前記切換チャンバの中の前記第五回転軸の末端には第七ギヤが固定的に設置され、前記伝動チャンバの中の前記第五回転軸の末端には第一傘歯車と噛み合っている第二傘歯車が固定的に設置され、前記丸ダイスが回転し、この時にパッケージを押しつぶして前記材料入り口の中に詰める。
【発明の効果】
【０００８】
本発明有益な効果は：本発明の設備は自動的に材料を送ることができ、また材料を送る過程において、パッケージを粉砕切断し、最後に設備がバルブを制御して閉め、パッケージの砕屑を収集することに便利を与える。
【図面の簡単な説明】
【０００９】
本発明の実施例または既存の技術にある技術方案をよりはっきり説明できるため、下記に実施例または既存の技術を述べることに対して必要な附図を簡単に紹介し、明らかなように、下記に述べた附図はただ発明の一部分の実施例で、当業者にとって、創造的な労働を払わなくても、これらの附図に基づいてほかの附図を獲得できる。
【００１０】
【図１】図１は本発明のパッケージ回収装置の全体構成概略図
【図２】図２は図１の中のＡ−Ａの構成概略図
【図３】図３は図１の中のＢの拡大構成概略図
【図４】図４は図３の中のＣ−Ｃの構成概略図
【図５】図５は図１の中のＤの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
下記に図１−５を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１３】
図１−５に示すように、本発明のパッケージ回収装置は、装置本体１０及び前記装置本体１０の中に設置されている操作チャンバ２８を含み、前記操作チャンバ２８の中の左側端壁の中には切換チャンバ１４が設置され、前記操作チャンバ２８の中には回転桶３１が回転できるように設置され、前記回転桶３１の中には切断チャンバ３０が設置され、前記切断チャンバ３０の端壁には外部に連通している材料落とし穴２９が設置され、前記回転桶３１の左側端壁の中には内歯溝５６が設置され、前記切換チャンバ１４と前記切断チャンバ３０との間には第一回転軸３３が回転できるように設置され、前記切換チャンバ１４の中の前記第一回転軸３３の末端には第一ギヤ５３が固定的に設置され、前記第一ギヤ５３の右側には第一連結ロッド５２がヒンジにより連結され、前記内歯溝５６の中の前記第一回転軸３３の外面には第二ギヤ５４が固定的に設置され、前記操作チャンバ２８の左側端壁には前記第二ギヤ５４及び前記内歯溝５６と噛み合っている第三ギヤ５５が回転できるように設置され、前記切断チャンバ３０の中の前記第一回転軸３３の外面にはカッター刃３８が固定的に設置され、前記切換チャンバ１４の左側端壁の中にはスライドチャンバ１１が設置され、前記スライドチャンバ１１の中にはスライドブロック１３がスライドできるように設置され、前記スライドブロック１３の右側端壁の中には第一モータ１２が固定的に設置され、前記第一モータ１２の出力軸の右へ伸びている末端には第四ギヤ４８が固定的に設置され、前記第四ギヤ４８の左側には第二連結ロッド４９がヒンジにより連結され、前記第二連結ロッド４９と前記第一連結ロッド５２との間には第二回転軸５０が回転できるように設置され、前記第二回転軸５０の外面には前記第四ギヤ４８及び前記第一ギヤ５３と噛み合っている第五ギヤ５１が固定的に設置され、前記回転桶３１が前記カッター刃３８と反対である方向に回転し、それにより前記パッケージを切断する。
【００１４】
有益なように、前記操作チャンバ２８の底壁の中には漏斗チャンバ２７が連通するように設置され、前記漏斗チャンバ２７の下方には材料収集チャンバ２１が設置され、前記材料収集チャンバ２１と前記漏斗チャンバ２７との間には材料収集溝２６が連通するように設置され、前記材料収集溝２６の左側端壁の中には右方に開口したガイドスライド溝２２が設置され、前記ガイドスライド溝２２の中にはバルブ２４がスライドできるように設置され、前記バルブ２４の中には左方に開口したねじ穴２５が設置され、前記ねじ穴２５の中には左へ伸びているねじロッド２３がねじ山により連結され、前記ねじロッド２３の左側末端が前記ガイドスライド溝２２の左側に位置しているカムチャンバ２０の中に伸びており、また前記ねじロッド２３の左側末端が前記カムチャンバ２０の左側端壁の中に固定的に設置されている第二モータ１８と動力が伝達できるように連結され、前記カムチャンバ２０の中の前記ねじロッド２３の外面にはカム１９が固定的に設置され、前記カムチャンバ２０と前記スライドチャンバ１１との間にはスライド穴１５が連通するように設置され、前記スライド穴１５の中には前記スライドブロック１３と固定的に連結されているスライドロッド１７がスライドできるように設置され、前記スライドロッド１７と前記スライド穴１５の端壁との間には復帰装置１６が弾性的に設置され、前記ねじロッド２３が回転し、それにより前記バルブ２５を移動連動させて前記材料収集溝２６を密封する又は開ける。
【００１５】
有益なように、前記操作チャンバ２８の右側端壁の中にはフィードチャンバ４５が設置され、前記フィードチャンバ４５と前記切断チャンバ１４との間には材料入りガイド溝３２が連通するように設置され、前記フィードチャンバ４５の右側端壁の中には外部に連通している材料入り口５８が設置され、前記フィードチャンバ４５の後側端壁の中には上へ伸びているベルトチャンバ３９が設置され、前記フィードチャンバ４５の中には上下対称である二つの第三回転軸４１が回転できるように設置され、前記第三回転軸４１の外面には丸ダイス４４及び前記丸ダイス４４の後側に位置している第六ギヤ４３が固定的に設置され、上下二つの前記第六ギヤ４３が互いに噛み合っており、上端の前記第三回転軸４１の後側延伸部分が前記ベルトチャンバ３９に伸びており、また上端の前記第三回転軸４１の末端には第一プーリ４２が固定的に設置され、前記ベルトチャンバ３９の前側端壁の中には前記フィードチャンバ４５の上方に位置している伝動チャンバ３７が設置され、前記伝動チャンバ３７と前記ベルトチャンバ３９との間には第四回転軸４６が回転できるように設置され、前記ベルトチャンバ３９の中の前記第四回転軸４６の末端には第二プーリ４７が固定的に設置され、前記第二プーリ４７と前記第一プーリ４２との間がベルト４０により伝動できるように連結され、前記伝動チャンバ３７の中の前記第四回転軸４６の末端には第一傘歯車３５が固定的に設置され、前記伝動チャンバ３７と前記切換チャンバ１４との間には第五回転軸３７が回転できるように設置され、前記切換チャンバ１４の中の前記第五回転軸３７の末端には第七ギヤ５７が固定的に設置され、前記伝動チャンバ３７の中の前記第五回転軸３７の末端には第一傘歯車３５と噛み合っている第二傘歯車３６が固定的に設置され、前記丸ダイス４４が回転し、この時にパッケージを押しつぶして前記材料入り口５８の中に詰める。
【００１６】
以下、出願人は附図１−５及び上記の本出願のパッケージ回収装置の具体的な構成を参考してその使用方法を詳しく紹介する：
【００１７】
第二モータ１８を始動し、第二モータ１８が回転してねじロッド２３を回転連動させ、それによりバルブ２５を連動させて右へ移動させて材料収集溝２６を密封し、同時にねじロッド２３が回転してカム１９を回転連動させてスライドロッド１７を押圧し、それによりスライドブロック１３を連動させて上へ移動させ、それにより第四ギヤ４８が連動して上へ移動して第七ギヤ５７と噛み合い、この時第一モータ１２を始動して回転させて第四ギヤ４８を回転連動させ、それにより第七ギヤ５７を回転連動させ、それにより第二傘歯車３６、第一傘歯車３５、第二プーリ４７と第一プーリ４２を回転連動させ、それにより丸ダイス４４を回転連動させ、この時にパッケージを押しつぶして材料入り口５８の中に詰め、この時に丸ダイス４４が回転してパッケージを連動させて材料入りガイド溝３２を経由して切断チャンバ３０の中に入らせ、それと同時に、第四ギヤ４８が回転して第五ギヤ５１、第一ギヤ５３及び第三ギヤ５５を連動させ、内歯溝５６が第三傘歯車５５と噛み合っていることにより、この時に回転桶３１がカッター刃３８と反対である方向に回転し、それによりパッケージを切断し、回転桶３１の回転につれて、切断されたパッケージがバルブ２４の上方に落ち、バルブ２４の上方にある砕屑が一定の程度に積まれた時、第二モータ１８を始動し、第二モータ１８が回転してバルブ２４を連動させて開け、同時にスライドブロック１３が下へ移動し、第四ギヤ４８が第七ギヤ５７との噛み合いから離脱し、材料送り装置の輸送は停止するが、切断装置は回転桶３１の中のパッケージを切断粉砕し続け、その砕屑が材料収集チャンバ２１の中に落ち、粉砕されたパッケージの砕屑を収集して後継の回収使用に便利である。
【００１８】
以上詳細な分析からわかるのは：本発明の設備は自動的に材料を送ることができ、また材料を送る過程において、パッケージを粉砕切断し、最後に設備がバルブを制御して閉め、パッケージの砕屑を収集することに便利を与える。
【００１９】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【図１】
2020175359.tif 000003
【図２】
2020175359.tif 000004
【図３】
2020175359.tif 000005
【図４】
2020175359.tif 000006
【図５】
2020175359.tif 000007
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
装置本体及び前記装置本体の中に設置されている操作チャンバを含み、前記操作チャンバの中の左側端壁の中には切換チャンバが設置され、前記操作チャンバの中には回転桶が回転できるように設置され、前記回転桶の中には切断チャンバが設置され、前記切断チャンバの端壁には外部に連通している材料落とし穴が設置され、前記回転桶の左側端壁の中には空溝が設置され、前記切換チャンバと前記切断チャンバとの間には第一回転軸が回転できるように設置され、前記切換チャンバの中の前記第一回転軸の末端には第一ギヤが設置され、前記第一ギヤの右側には第一連結ロッドがヒンジにより連結され、前記空溝の中の前記第一回転軸の外面には第二ギヤが設置され、前記操作チャンバの左側端壁には前記第二ギヤ及び前記空溝と噛み合っている第三傘歯車が回転できるように設置され、前記切断チャンバの中の前記第一回転軸の外面にはカッター刃が設置され、前記切換チャンバの左側端壁の中にはスライドチャンバが設置され、前記スライドチャンバの中にはスライドブロックがスライドできるように設置され、前記スライドブロックの右側端壁の中には第一モータが設置され、前記第一モータの出力軸の右へ伸びている末端には第四ギヤが設置され、前記第四ギヤの左側には第二連結ロッドがヒンジにより連結され、前記第二連結ロッドと前記第一連結ロッドとの間には第二回転軸が回転できるように設置され、前記第二回転軸の外面には前記第四ギヤ及び前記第一ギヤと噛み合っている第五ギヤが設置され、前記回転桶が前記カッター刃と反対である方向に回転し、それにより前記パッケージを切断でき、
前記操作チャンバの底壁の中には漏斗チャンバが連通するように設置され、前記漏斗チャンバの下方には材料収集チャンバが設置され、前記材料収集チャンバと前記漏斗チャンバとの間には材料収集溝が連通するように設置され、前記材料収集溝の左側端壁の中には右方に開口したガイドスライド溝が設置され、前記ガイドスライド溝の中にはバルブがスライドできるように設置され、前記バルブの中には左方に開口したねじ穴が設置され、前記ねじ穴の中には左へ伸びているねじロッドがねじ山により連結され、前記ねじロッドの左側末端が前記ガイドスライド溝の左側に位置しているカムチャンバの中に伸びており、また前記ねじロッドの左側末端が前記カムチャンバの左側端壁の中に設置されている第二モータと動力が伝達できるように連結され、前記カムチャンバの中の前記ねじロッドの外面にはカムが設置され、前記カムチャンバと前記スライドチャンバとの間にはスライド穴が連通するように設置され、前記スライド穴の中には前記スライドブロックと固定的に連結されているスライドロッドがスライドできるように設置され、前記スライドロッドと前記スライド穴の端壁との間には復帰装置が弾性的に設置され、前記ねじロッドが回転し、それにより前記バルブを移動連動させて前記材料収集溝を密封する又は開けることができ、
前記操作チャンバの右側端壁の中にはフィードチャンバが設置され、前記フィードチャンバと前記切断チャンバとの間には材料入りガイド溝が連通するように設置され、前記フィードチャンバの右側端壁の中には外部に連通している材料入り口が設置され、前記フィードチャンバの後側端壁の中には上へ伸びているベルトチャンバが設置され、前記フィードチャンバの中には上下対称である二つの第三回転軸が回転できるように設置され、前記第三回転軸の外面には丸ダイス及び前記丸ダイスの後側に位置している第六ギヤが設置され、上下二つの前記第六ギヤが互いに噛み合っており、上端の前記第三回転軸の後側延伸部分が前記ベルトチャンバに伸びており、また上端の前記第三回転軸の末端には第一プーリが設置され、前記ベルトチャンバの前側端壁の中には前記フィードチャンバの上方に位置している伝動チャンバが設置され、前記伝動チャンバと前記ベルトチャンバとの間には第四回転軸が回転できるように設置され、前記ベルトチャンバの中の前記第四回転軸の末端には第二プーリが設置され、前記第二プーリと前記第一プーリとの間がベルトにより伝動できるように連結され、前記伝動チャンバの中の前記第四回転軸の末端には第一傘歯車が設置され、前記伝動チャンバと前記切換チャンバとの間には第五回転軸が回転できるように設置され、前記切換チャンバの中の前記第五回転軸の末端には第七ギヤが設置され、前記伝動チャンバの中の前記第五回転軸の末端には第一傘歯車と噛み合っている第二傘歯車が設置され、前記丸ダイスが回転し、この時にパッケージを押しつぶして前記材料入り口の中に詰めることを特徴とするパッケージ回収装置。
【手続補正２】
【補正対象書類名】明細書
【補正対象項目名】全文
【補正方法】変更
【補正の内容】
【発明の詳細な説明】
【技術分野】
【０００１】
本発明はパック回収分野に関わり、具体的にはパッケージ回収装置である。
【背景技術】
【０００２】
ネットショッピングの増加につれて、パッケージの使用はますます頻繁になり、大量のパッケージをリサイクルしないと、多くの樹木が伐採され、それで生態環境が破壊され、従って上記の問題を解決するため、パッケージ回収装置が強く求められている。
【先行技術文献】
【特許文献】
【０００３】
【特許文献１】中国特許出願公開第105905504号明細書
【発明の概要】
【発明が解決しようとする課題】
【０００４】
本発明はパッケージ回収装置を提供することを目的とする。
【課題を解決するための手段】
【０００５】
本発明のパッケージ回収装置は、装置本体及び前記装置本体の中に設置されている操作チャンバを含み、前記操作チャンバの中の左側端壁の中には切換チャンバが設置され、前記操作チャンバの中には回転桶が回転できるように設置され、前記回転桶の中には切断チャンバが設置され、前記切断チャンバの端壁には外部に連通している材料落とし穴が設置され、前記回転桶の左側端壁の中には空溝が設置され、前記切換チャンバと前記切断チャンバとの間には第一回転軸が回転できるように設置され、前記切換チャンバの中の前記第一回転軸の末端には第一ギヤが設置され、前記第一ギヤの右側には第一連結ロッドがヒンジにより連結され、前記空溝の中の前記第一回転軸の外面には第二ギヤが設置され、前記操作チャンバの左側端壁には前記第二ギヤ及び前記空溝と噛み合っている第三傘歯車が回転できるように設置され、前記切断チャンバの中の前記第一回転軸の外面にはカッター刃が設置され、前記切換チャンバの左側端壁の中にはスライドチャンバが設置され、前記スライドチャンバの中にはスライドブロックがスライドできるように設置され、前記スライドブロックの右側端壁の中には第一モータが設置され、前記第一モータの出力軸の右へ伸びている末端には第四ギヤが設置され、前記第四ギヤの左側には第二連結ロッドがヒンジにより連結され、前記第二連結ロッドと前記第一連結ロッドとの間には第二回転軸が回転できるように設置され、前記第二回転軸の外面には前記第四ギヤ及び前記第一ギヤと噛み合っている第五ギヤが設置され、前記回転桶が前記カッター刃と反対である方向に回転し、それにより前記パッケージを切断する。
【０００６】
好ましくは、前記操作チャンバの底壁の中には漏斗チャンバが連通するように設置され、前記漏斗チャンバの下方には材料収集チャンバが設置され、前記材料収集チャンバと前記漏斗チャンバとの間には材料収集溝が連通するように設置され、前記材料収集溝の左側端壁の中には右方に開口したガイドスライド溝が設置され、前記ガイドスライド溝の中にはバルブがスライドできるように設置され、前記バルブの中には左方に開口したねじ穴が設置され、前記ねじ穴の中には左へ伸びているねじロッドがねじ山により連結され、前記ねじロッドの左側末端が前記ガイドスライド溝の左側に位置しているカムチャンバの中に伸びており、また前記ねじロッドの左側末端が前記カムチャンバの左側端壁の中に設置されている第二モータと動力が伝達できるように連結され、前記カムチャンバの中の前記ねじロッドの外面にはカムが設置され、前記カムチャンバと前記スライドチャンバとの間にはスライド穴が連通するように設置され、前記スライド穴の中には前記スライドブロックと固定的に連結されているスライドロッドがスライドできるように設置され、前記スライドロッドと前記スライド穴の端壁との間には復帰装置が弾性的に設置され、前記ねじロッドが回転し、それにより前記バルブを移動連動させて前記材料収集溝を密封する又は開ける。
【０００７】
好ましくは、前記操作チャンバの右側端壁の中にはフィードチャンバが設置され、前記フィードチャンバと前記切断チャンバとの間には材料入りガイド溝が連通するように設置され、前記フィードチャンバの右側端壁の中には外部に連通している材料入り口が設置され、前記フィードチャンバの後側端壁の中には上へ伸びているベルトチャンバが設置され、前記フィードチャンバの中には上下対称である二つの第三回転軸が回転できるように設置され、前記第三回転軸の外面には丸ダイス及び前記丸ダイスの後側に位置している第六ギヤが設置され、上下二つの前記第六ギヤが互いに噛み合っており、上端の前記第三回転軸の後側延伸部分が前記ベルトチャンバに伸びており、また上端の前記第三回転軸の末端には第一プーリが設置され、前記ベルトチャンバの前側端壁の中には前記フィードチャンバの上方に位置している伝動チャンバが設置され、前記伝動チャンバと前記ベルトチャンバとの間には第四回転軸が回転できるように設置され、前記ベルトチャンバの中の前記第四回転軸の末端には第二プーリが設置され、前記第二プーリと前記第一プーリとの間がベルトにより伝動できるように連結され、前記伝動チャンバの中の前記第四回転軸の末端には第一傘歯車が設置され、前記伝動チャンバと前記切換チャンバとの間には第五回転軸が回転できるように設置され、前記切換チャンバの中の前記第五回転軸の末端には第七ギヤが設置され、前記伝動チャンバの中の前記第五回転軸の末端には第一傘歯車と噛み合っている第二傘歯車が設置され、前記丸ダイスが回転し、この時にパッケージを押しつぶして前記材料入り口の中に詰める。
【発明の効果】
【０００８】
本発明有益な効果は：本発明の設備は自動的に材料を送ることができ、また材料を送る過程において、パッケージを粉砕切断し、最後に設備がバルブを制御して閉め、パッケージの砕屑を収集することに便利を与える。
【図面の簡単な説明】
【０００９】
本発明の実施例または既存の技術にある技術方案をよりはっきり説明できるため、下記に実施例または既存の技術を述べることに対して必要な附図を簡単に紹介し、明らかなように、下記に述べた附図はただ発明の一部分の実施例で、当業者にとって、創造的な労働を払わなくても、これらの附図に基づいてほかの附図を獲得できる。
【００１０】
【図１】図１は本発明のパッケージ回収装置の全体構成概略図
【図２】図２は図１の中のＡ−Ａの構成概略図
【図３】図３は図１の中のＢの拡大構成概略図
【図４】図４は図３の中のＣ−Ｃの構成概略図
【図５】図５は図１の中のＤの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
下記に図１−５を合わせて本発明を詳しく説明し、意思の疎通にもっと便利なため、後文に出る方位を下記の通りに規定する：図１は本願発明の正面図であり、下記に述べた上下左右前後の方向は図１自体の投影関係の上下左右前後の方向と一致している。
【００１３】
図１−５に示すように、本発明のパッケージ回収装置は、装置本体１０及び前記装置本体１０の中に設置されている操作チャンバ２８を含み、前記操作チャンバ２８の中の左側端壁の中には切換チャンバ１４が設置され、前記操作チャンバ２８の中には回転桶３１が回転できるように設置され、前記回転桶３１の中には切断チャンバ３０が設置され、前記切断チャンバ３０の端壁には外部に連通している材料落とし穴２９が設置され、前記回転桶３１の左側端壁の中には空溝５６が設置され、前記切換チャンバ１４と前記切断チャンバ３０との間には第一回転軸３３が回転できるように設置され、前記切換チャンバ１４の中の前記第一回転軸３３の末端には第一ギヤ５３が設置され、前記第一ギヤ５３の右側には第一連結ロッド５２がヒンジにより連結され、前記空溝５６の中の前記第一回転軸３３の外面には第二ギヤ５４が設置され、前記操作チャンバ２８の左側端壁には前記第二ギヤ５４及び前記空溝５６と噛み合っている第三傘歯車５５が回転できるように設置され、前記切断チャンバ３０の中の前記第一回転軸３３の外面にはカッター刃３８が設置され、前記切換チャンバ１４の左側端壁の中にはスライドチャンバ１１が設置され、前記スライドチャンバ１１の中にはスライドブロック１３がスライドできるように設置され、前記スライドブロック１３の右側端壁の中には第一モータ１２が設置され、前記第一モータ１２の出力軸の右へ伸びている末端には第四ギヤ４８が設置され、前記第四ギヤ４８の左側には第二連結ロッド４９がヒンジにより連結され、前記第二連結ロッド４９と前記第一連結ロッド５２との間には第二回転軸５０が回転できるように設置され、前記第二回転軸５０の外面には前記第四ギヤ４８及び前記第一ギヤ５３と噛み合っている第五ギヤ５１が設置され、前記回転桶３１が前記カッター刃３８と反対である方向に回転し、それにより前記パッケージを切断する。
【００１４】
有益なように、前記操作チャンバ２８の底壁の中には漏斗チャンバ２７が連通するように設置され、前記漏斗チャンバ２７の下方には材料収集チャンバ２１が設置され、前記材料収集チャンバ２１と前記漏斗チャンバ２７との間には材料収集溝２６が連通するように設置され、前記材料収集溝２６の左側端壁の中には右方に開口したガイドスライド溝２２が設置され、前記ガイドスライド溝２２の中にはバルブ２４がスライドできるように設置され、前記バルブ２４の中には左方に開口したねじ穴２５が設置され、前記ねじ穴２５の中には左へ伸びているねじロッド２３がねじ山により連結され、前記ねじロッド２３の左側末端が前記ガイドスライド溝２２の左側に位置しているカムチャンバ２０の中に伸びており、また前記ねじロッド２３の左側末端が前記カムチャンバ２０の左側端壁の中に設置されている第二モータ１８と動力が伝達できるように連結され、前記カムチャンバ２０の中の前記ねじロッド２３の外面にはカム１９が設置され、前記カムチャンバ２０と前記スライドチャンバ１１との間にはスライド穴１５が連通するように設置され、前記スライド穴１５の中には前記スライドブロック１３と固定的に連結されているスライドロッド１７がスライドできるように設置され、前記スライドロッド１７と前記スライド穴１５の端壁との間には復帰装置１６が弾性的に設置され、前記ねじロッド２３が回転し、それにより前記バルブ２５を移動連動させて前記材料収集溝２６を密封する又は開ける。
【００１５】
有益なように、前記操作チャンバ２８の右側端壁の中にはフィードチャンバ４５が設置され、前記フィードチャンバ４５と前記切断チャンバ１４との間には材料入りガイド溝３２が連通するように設置され、前記フィードチャンバ４５の右側端壁の中には外部に連通している材料入り口５８が設置され、前記フィードチャンバ４５の後側端壁の中には上へ伸びているベルトチャンバ３９が設置され、前記フィードチャンバ４５の中には上下対称である二つの第三回転軸４１が回転できるように設置され、前記第三回転軸４１の外面には丸ダイス４４及び前記丸ダイス４４の後側に位置している第六ギヤ４３が設置され、上下二つの前記第六ギヤ４３が互いに噛み合っており、上端の前記第三回転軸４１の後側延伸部分が前記ベルトチャンバ３９に伸びており、また上端の前記第三回転軸４１の末端には第一プーリ４２が設置され、前記ベルトチャンバ３９の前側端壁の中には前記フィードチャンバ４５の上方に位置している伝動チャンバ３７が設置され、前記伝動チャンバ３７と前記ベルトチャンバ３９との間には第四回転軸４６が回転できるように設置され、前記ベルトチャンバ３９の中の前記第四回転軸４６の末端には第二プーリ４７が設置され、前記第二プーリ４７と前記第一プーリ４２との間がベルト４０により伝動できるように連結され、前記伝動チャンバ３７の中の前記第四回転軸４６の末端には第一傘歯車３５が設置され、前記伝動チャンバ３７と前記切換チャンバ１４との間には第五回転軸３７が回転できるように設置され、前記切換チャンバ１４の中の前記第五回転軸３７の末端には第七ギヤ５７が設置され、前記伝動チャンバ３７の中の前記第五回転軸３７の末端には第一傘歯車３５と噛み合っている第二傘歯車３６が設置され、前記丸ダイス４４が回転し、この時にパッケージを押しつぶして前記材料入り口５８の中に詰める。
【００１６】
以下、出願人は附図１−５及び上記の本出願のパッケージ回収装置の具体的な構成を参考してその使用方法を詳しく紹介する：
【００１７】
第二モータ１８を始動し、第二モータ１８が回転してねじロッド２３を回転連動させ、それによりバルブ２５を連動させて右へ移動させて材料収集溝２６を密封し、同時にねじロッド２３が回転してカム１９を回転連動させてスライドロッド１７を押圧し、それによりスライドブロック１３を連動させて上へ移動させ、それにより第四ギヤ４８が連動して上へ移動して第七ギヤ５７と噛み合い、この時第一モータ１２を始動して回転させて第四ギヤ４８を回転連動させ、それにより第七ギヤ５７を回転連動させ、それにより第二傘歯車３６、第一傘歯車３５、第二プーリ４７と第一プーリ４２を回転連動させ、それにより丸ダイス４４を回転連動させ、この時にパッケージを押しつぶして材料入り口５８の中に詰め、この時に丸ダイス４４が回転してパッケージを連動させて材料入りガイド溝３２を経由して切断チャンバ３０の中に入らせ、それと同時に、第四ギヤ４８が回転して第五ギヤ５１、第一ギヤ５３及び第三傘歯車５５を連動させ、空溝５６が第三傘歯車５５と噛み合っていることにより、この時に回転桶３１がカッター刃３８と反対である方向に回転し、それによりパッケージを切断し、回転桶３１の回転につれて、切断されたパッケージがバルブ２４の上方に落ち、バルブ２４の上方にある砕屑が一定の程度に積まれた時、第二モータ１８を始動し、第二モータ１８が回転してバルブ２４を連動させて開け、同時にスライドブロック１３が下へ移動し、第四ギヤ４８が第七ギヤ５７との噛み合いから離脱し、材料送り装置の輸送は停止するが、切断装置は回転桶３１の中のパッケージを切断粉砕し続け、その砕屑が材料収集チャンバ２１の中に落ち、粉砕されたパッケージの砕屑を収集して後継の回収使用に便利である。
【００１８】
以上詳細な分析からわかるのは：本発明の設備は自動的に材料を送ることができ、また材料を送る過程において、パッケージを粉砕切断し、最後に設備がバルブを制御して閉め、パッケージの砕屑を収集することに便利を与える。
【００１９】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
装置本体及び前記装置本体の中に設置されている操作チャンバを含み、前記操作チャンバの中の左側端壁の中には切換チャンバが設置され、前記操作チャンバの中には回転桶が回転できるように設置され、前記回転桶の中には切断チャンバが設置され、前記切断チャンバの端壁には外部に連通している材料落とし穴が設置され、前記回転桶の左側端壁の中には空溝が設置され、前記切換チャンバと前記切断チャンバとの間には第一回転軸が回転できるように設置され、前記切換チャンバの中の前記第一回転軸の末端には第一ギヤが設置され、前記第一ギヤの右側には第一連結ロッドがヒンジにより連結され、前記空溝の中の前記第一回転軸の外面には第二ギヤが設置され、前記操作チャンバの左側端壁には前記第二ギヤ及び前記空溝と噛み合っている第三傘歯車が回転できるように設置され、前記切断チャンバの中の前記第一回転軸の外面にはカッター刃が設置され、前記切換チャンバの左側端壁の中にはスライドチャンバが設置され、前記スライドチャンバの中にはスライドブロックがスライドできるように設置され、前記スライドブロックの右側端壁の中には第一モータが設置され、前記第一モータの出力軸の右へ伸びている末端には第四ギヤが設置され、前記第四ギヤの左側には第二連結ロッドがヒンジにより連結され、前記第二連結ロッドと前記第一連結ロッドとの間には第二回転軸が回転できるように設置され、前記第二回転軸の外面には前記第四ギヤ及び前記第一ギヤと噛み合っている第五ギヤが設置され、前記回転桶が前記カッター刃と反対である方向に回転し、それによりパッケージを切断でき、
前記操作チャンバの底壁の中には漏斗チャンバが連通するように設置され、前記漏斗チャンバの下方には材料収集チャンバが設置され、前記材料収集チャンバと前記漏斗チャンバとの間には材料収集溝が連通するように設置され、前記材料収集溝の左側端壁の中には右方に開口したガイドスライド溝が設置され、前記ガイドスライド溝の中にはバルブがスライドできるように設置され、前記バルブの中には左方に開口したねじ穴が設置され、前記ねじ穴の中には左へ伸びているねじロッドがねじ山により連結され、前記ねじロッドの左側末端が前記ガイドスライド溝の左側に位置しているカムチャンバの中に伸びており、また前記ねじロッドの左側末端が前記カムチャンバの左側端壁の中に設置されている第二モータと動力が伝達できるように連結され、前記カムチャンバの中の前記ねじロッドの外面にはカムが設置され、前記カムチャンバと前記スライドチャンバとの間にはスライド穴が連通するように設置され、前記スライド穴の中には前記スライドブロックと固定的に連結されているスライドロッドがスライドできるように設置され、前記スライドロッドと前記スライド穴の端壁との間には復帰装置が弾性的に設置され、前記ねじロッドが回転し、それにより前記バルブを移動連動させて前記材料収集溝を密封する又は開けることができ、
前記操作チャンバの右側端壁の中にはフィードチャンバが設置され、前記フィードチャンバと前記切断チャンバとの間には材料入りガイド溝が連通するように設置され、前記フィードチャンバの右側端壁の中には外部に連通している材料入り口が設置され、前記フィードチャンバの後側端壁の中には上へ伸びているベルトチャンバが設置され、前記フィードチャンバの中には上下対称である二つの第三回転軸が回転できるように設置され、前記第三回転軸の外面には丸ダイス及び前記丸ダイスの後側に位置している第六ギヤが設置され、上下二つの前記第六ギヤが互いに噛み合っており、上端の前記第三回転軸の後側延伸部分が前記ベルトチャンバに伸びており、また上端の前記第三回転軸の末端には第一プーリが設置され、前記ベルトチャンバの前側端壁の中には前記フィードチャンバの上方に位置している伝動チャンバが設置され、前記伝動チャンバと前記ベルトチャンバとの間には第四回転軸が回転できるように設置され、前記ベルトチャンバの中の前記第四回転軸の末端には第二プーリが設置され、前記第二プーリと前記第一プーリとの間がベルトにより伝動できるように連結され、前記伝動チャンバの中の前記第四回転軸の末端には第一傘歯車が設置され、前記伝動チャンバと前記切換チャンバとの間には第五回転軸が回転できるように設置され、前記切換チャンバの中の前記第五回転軸の末端には第七ギヤが設置され、前記伝動チャンバの中の前記第五回転軸の末端には第一傘歯車と噛み合っている第二傘歯車が設置され、前記丸ダイスが回転し、前記丸ダイスが回転する時にパッケージを押しつぶして前記材料入り口の中に詰めることを特徴とするパッケージ回収装置。
【手続補正２】
【補正対象書類名】明細書
【補正対象項目名】全文
【補正方法】変更
【補正の内容】
【発明の詳細な説明】
【技術分野】
【０００１】
本発明はパック回収分野に関わり、具体的にはパッケージ回収装置である。
【背景技術】
【０００２】
ネットショッピングの増加につれて、パッケージの使用はますます頻繁になり、大量のパッケージをリサイクルしないと、多くの樹木が伐採され、それで生態環境が破壊され、従って上記の問題を解決するため、パッケージ回収装置が強く求められている。
【先行技術文献】
【特許文献】
【０００３】
【特許文献１】中国特許出願公開第105905504号明細書
【発明の概要】
【発明が解決しようとする課題】
【０００４】
本発明はパッケージ回収装置を提供することを目的とする。
【課題を解決するための手段】
【０００５】
本発明のパッケージ回収装置は、装置本体及び前記装置本体の中に設置されている操作チャンバを含み、前記操作チャンバの中の左側端壁の中には切換チャンバが設置され、前記操作チャンバの中には回転桶が回転できるように設置され、前記回転桶の中には切断チャンバが設置され、前記切断チャンバの端壁には外部に連通している材料落とし穴が設置され、前記回転桶の左側端壁の中には空溝が設置され、前記切換チャンバと前記切断チャンバとの間には第一回転軸が回転できるように設置され、前記切換チャンバの中の前記第一回転軸の末端には第一ギヤが設置され、前記第一ギヤの右側には第一連結ロッドがヒンジにより連結され、前記空溝の中の前記第一回転軸の外面には第二ギヤが設置され、前記操作チャンバの左側端壁には前記第二ギヤ及び前記空溝と噛み合っている第三傘歯車が回転できるように設置され、前記切断チャンバの中の前記第一回転軸の外面にはカッター刃が設置され、前記切換チャンバの左側端壁の中にはスライドチャンバが設置され、前記スライドチャンバの中にはスライドブロックがスライドできるように設置され、前記スライドブロックの右側端壁の中には第一モータが設置され、前記第一モータの出力軸の右へ伸びている末端には第四ギヤが設置され、前記第四ギヤの左側には第二連結ロッドがヒンジにより連結され、前記第二連結ロッドと前記第一連結ロッドとの間には第二回転軸が回転できるように設置され、前記第二回転軸の外面には前記第四ギヤ及び前記第一ギヤと噛み合っている第五ギヤが設置され、前記回転桶が前記カッター刃と反対である方向に回転し、それによりパッケージを切断する。
【０００６】
好ましくは、前記操作チャンバの底壁の中には漏斗チャンバが連通するように設置され、前記漏斗チャンバの下方には材料収集チャンバが設置され、前記材料収集チャンバと前記漏斗チャンバとの間には材料収集溝が連通するように設置され、前記材料収集溝の左側端壁の中には右方に開口したガイドスライド溝が設置され、前記ガイドスライド溝の中にはバルブがスライドできるように設置され、前記バルブの中には左方に開口したねじ穴が設置され、前記ねじ穴の中には左へ伸びているねじロッドがねじ山により連結され、前記ねじロッドの左側末端が前記ガイドスライド溝の左側に位置しているカムチャンバの中に伸びており、また前記ねじロッドの左側末端が前記カムチャンバの左側端壁の中に設置されている第二モータと動力が伝達できるように連結され、前記カムチャンバの中の前記ねじロッドの外面にはカムが設置され、前記カムチャンバと前記スライドチャンバとの間にはスライド穴が連通するように設置され、前記スライド穴の中には前記スライドブロックと固定的に連結されているスライドロッドがスライドできるように設置され、前記スライドロッドと前記スライド穴の端壁との間には復帰装置が弾性的に設置され、前記ねじロッドが回転し、それにより前記バルブを移動連動させて前記材料収集溝を密封する又は開ける。
【０００７】
好ましくは、前記操作チャンバの右側端壁の中にはフィードチャンバが設置され、前記フィードチャンバと前記切断チャンバとの間には材料入りガイド溝が連通するように設置され、前記フィードチャンバの右側端壁の中には外部に連通している材料入り口が設置され、前記フィードチャンバの後側端壁の中には上へ伸びているベルトチャンバが設置され、前記フィードチャンバの中には上下対称である二つの第三回転軸が回転できるように設置され、前記第三回転軸の外面には丸ダイス及び前記丸ダイスの後側に位置している第六ギヤが設置され、上下二つの前記第六ギヤが互いに噛み合っており、上端の前記第三回転軸の後側延伸部分が前記ベルトチャンバに伸びており、また上端の前記第三回転軸の末端には第一プーリが設置され、前記ベルトチャンバの前側端壁の中には前記フィードチャンバの上方に位置している伝動チャンバが設置され、前記伝動チャンバと前記ベルトチャンバとの間には第四回転軸が回転できるように設置され、前記ベルトチャンバの中の前記第四回転軸の末端には第二プーリが設置され、前記第二プーリと前記第一プーリとの間がベルトにより伝動できるように連結され、前記伝動チャンバの中の前記第四回転軸の末端には第一傘歯車が設置され、前記伝動チャンバと前記切換チャンバとの間には第五回転軸が回転できるように設置され、前記切換チャンバの中の前記第五回転軸の末端には第七ギヤが設置され、前記伝動チャンバの中の前記第五回転軸の末端には第一傘歯車と噛み合っている第二傘歯車が設置され、前記丸ダイスが回転し、前記丸ダイスが回転する時にパッケージを押しつぶして前記材料入り口の中に詰める。
【発明の効果】
【０００８】
本発明有益な効果は：本発明の設備は自動的に材料を送ることができ、また材料を送る過程において、パッケージを粉砕切断し、最後に設備がバルブを制御して閉め、パッケージの砕屑を収集することに便利を与える。
【図面の簡単な説明】
【０００９】
本発明の実施例または既存の技術にある技術方案をよりはっきり説明できるため、下記に実施例または既存の技術を述べることに対して必要な附図を簡単に紹介し、明らかなように、下記に述べた附図はただ発明の一部分の実施例で、当業者にとって、創造的な労働を払わなくても、これらの附図に基づいてほかの附図を獲得できる。
【００１０】
【図１】図１は本発明のパッケージ回収装置の全体構成概略図
【図２】図２は図１の中のＡ−Ａの構成概略図
【図３】図３は図１の中のＢの拡大構成概略図
【図４】図４は図３の中のＣ−Ｃの構成概略図
【図５】図５は図１の中のＤの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
下記に図１−５を合わせて本発明を詳しく説明し、意思の疎通にもっと便利なため、後文に出る方位を下記の通りに規定する：図１は本願発明の正面図であり、下記に述べた上下左右前後の方向は図１自体の投影関係の上下左右前後の方向と一致している。
【００１３】
図１−５に示すように、本発明のパッケージ回収装置は、装置本体１０及び前記装置本体１０の中に設置されている操作チャンバ２８を含み、前記操作チャンバ２８の中の左側端壁の中には切換チャンバ１４が設置され、前記操作チャンバ２８の中には回転桶３１が回転できるように設置され、前記回転桶３１の中には切断チャンバ３０が設置され、前記切断チャンバ３０の端壁には外部に連通している材料落とし穴２９が設置され、前記回転桶３１の左側端壁の中には空溝５６が設置され、前記切換チャンバ１４と前記切断チャンバ３０との間には第一回転軸３３が回転できるように設置され、前記切換チャンバ１４の中の前記第一回転軸３３の末端には第一ギヤ５３が設置され、前記第一ギヤ５３の右側には第一連結ロッド５２がヒンジにより連結され、前記空溝５６の中の前記第一回転軸３３の外面には第二ギヤ５４が設置され、前記操作チャンバ２８の左側端壁には前記第二ギヤ５４及び前記空溝５６と噛み合っている第三傘歯車５５が回転できるように設置され、前記切断チャンバ３０の中の前記第一回転軸３３の外面にはカッター刃３８が設置され、前記切換チャンバ１４の左側端壁の中にはスライドチャンバ１１が設置され、前記スライドチャンバ１１の中にはスライドブロック１３がスライドできるように設置され、前記スライドブロック１３の右側端壁の中には第一モータ１２が設置され、前記第一モータ１２の出力軸の右へ伸びている末端には第四ギヤ４８が設置され、前記第四ギヤ４８の左側には第二連結ロッド４９がヒンジにより連結され、前記第二連結ロッド４９と前記第一連結ロッド５２との間には第二回転軸５０が回転できるように設置され、前記第二回転軸５０の外面には前記第四ギヤ４８及び前記第一ギヤ５３と噛み合っている第五ギヤ５１が設置され、前記回転桶３１が前記カッター刃３８と反対である方向に回転し、それによりパッケージを切断する。
【００１４】
有益なように、前記操作チャンバ２８の底壁の中には漏斗チャンバ２７が連通するように設置され、前記漏斗チャンバ２７の下方には材料収集チャンバ２１が設置され、前記材料収集チャンバ２１と前記漏斗チャンバ２７との間には材料収集溝２６が連通するように設置され、前記材料収集溝２６の左側端壁の中には右方に開口したガイドスライド溝２２が設置され、前記ガイドスライド溝２２の中にはバルブ２４がスライドできるように設置され、前記バルブ２４の中には左方に開口したねじ穴２５が設置され、前記ねじ穴２５の中には左へ伸びているねじロッド２３がねじ山により連結され、前記ねじロッド２３の左側末端が前記ガイドスライド溝２２の左側に位置しているカムチャンバ２０の中に伸びており、また前記ねじロッド２３の左側末端が前記カムチャンバ２０の左側端壁の中に設置されている第二モータ１８と動力が伝達できるように連結され、前記カムチャンバ２０の中の前記ねじロッド２３の外面にはカム１９が設置され、前記カムチャンバ２０と前記スライドチャンバ１１との間にはスライド穴１５が連通するように設置され、前記スライド穴１５の中には前記スライドブロック１３と固定的に連結されているスライドロッド１７がスライドできるように設置され、前記スライドロッド１７と前記スライド穴１５の端壁との間には復帰装置１６が弾性的に設置され、前記ねじロッド２３が回転し、それにより前記バルブ２４を移動連動させて前記材料収集溝２６を密封する又は開ける。
【００１５】
有益なように、前記操作チャンバ２８の右側端壁の中にはフィードチャンバ４５が設置され、前記フィードチャンバ４５と前記切断チャンバ１４との間には材料入りガイド溝３２が連通するように設置され、前記フィードチャンバ４５の右側端壁の中には外部に連通している材料入り口５８が設置され、前記フィードチャンバ４５の後側端壁の中には上へ伸びているベルトチャンバ３９が設置され、前記フィードチャンバ４５の中には上下対称である二つの第三回転軸４１が回転できるように設置され、前記第三回転軸４１の外面には丸ダイス４４及び前記丸ダイス４４の後側に位置している第六ギヤ４３が設置され、上下二つの前記第六ギヤ４３が互いに噛み合っており、上端の前記第三回転軸４１の後側延伸部分が前記ベルトチャンバ３９に伸びており、また上端の前記第三回転軸４１の末端には第一プーリ４２が設置され、前記ベルトチャンバ３９の前側端壁の中には前記フィードチャンバ４５の上方に位置している伝動チャンバ３４が設置され、前記伝動チャンバ３４と前記ベルトチャンバ３９との間には第四回転軸４６が回転できるように設置され、前記ベルトチャンバ３９の中の前記第四回転軸４６の末端には第二プーリ４７が設置され、前記第二プーリ４７と前記第一プーリ４２との間がベルト４０により伝動できるように連結され、前記伝動チャンバ３４の中の前記第四回転軸４６の末端には第一傘歯車３５が設置され、前記伝動チャンバ３４と前記切換チャンバ１４との間には第五回転軸３７が回転できるように設置され、前記切換チャンバ１４の中の前記第五回転軸３７の末端には第七ギヤ５７が設置され、前記伝動チャンバ３４の中の前記第五回転軸３７の末端には第一傘歯車３５と噛み合っている第二傘歯車３６が設置され、前記丸ダイス４４が回転し、前記丸ダイス４４が回転する時にパッケージを押しつぶして前記材料入り口５８の中に詰める。
【００１６】
以下、出願人は附図１−５及び上記の本出願のパッケージ回収装置の具体的な構成を参考してその使用方法を詳しく紹介する：
【００１７】
第二モータ１８を始動し、第二モータ１８が回転してねじロッド２３を回転連動させ、それによりバルブ２４を連動させて右へ移動させて材料収集溝２６を密封し、同時にねじロッド２３が回転してカム１９を回転連動させてスライドロッド１７を押圧し、それによりスライドブロック１３を連動させて上へ移動させ、それにより第四ギヤ４８が連動して上へ移動して第七ギヤ５７と噛み合い、この時第一モータ１２を始動して回転させて第四ギヤ４８を回転連動させ、それにより第七ギヤ５７を回転連動させ、それにより第二傘歯車３６、第一傘歯車３５、第二プーリ４７と第一プーリ４２を回転連動させ、それにより丸ダイス４４を回転連動させ、前記丸ダイス４４が回転する時にパッケージを押しつぶして材料入り口５８の中に詰め、この時に丸ダイス４４が回転してパッケージを連動させて材料入りガイド溝３２を経由して切断チャンバ３０の中に入らせ、それと同時に、第四ギヤ４８が回転して第五ギヤ５１、第一ギヤ５３及び第三傘歯車５５を連動させ、空溝５６が第三傘歯車５５と噛み合っていることにより、この時に回転桶３１がカッター刃３８と反対である方向に回転し、それによりパッケージを切断し、回転桶３１の回転につれて、切断されたパッケージがバルブ２４の上方に落ち、バルブ２４の上方にある砕屑が一定の程度に積まれた時、第二モータ１８を始動し、第二モータ１８が回転してバルブ２４を連動させて開け、同時にスライドブロック１３が下へ移動し、第四ギヤ４８が第七ギヤ５７との噛み合いから離脱し、材料送り装置の輸送は停止するが、切断装置は回転桶３１の中のパッケージを切断粉砕し続け、その砕屑が材料収集チャンバ２１の中に落ち、粉砕されたパッケージの砕屑を収集して後継の回収使用に便利である。
【００１８】
以上詳細な分析からわかるのは：本発明の設備は自動的に材料を送ることができ、また材料を送る過程において、パッケージを粉砕切断し、最後に設備がバルブを制御して閉め、パッケージの砕屑を収集することに便利を与える。
【００１９】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。